(57)【要約】【課題】第一レール部材と、第一レール部材よりも長さの長い第二レール部材との間に跨る太陽電池モジュールを確実に支持することを可能とする。【解決手段】第一レール部材８ａと第二レール部材８ｂとの間に跨って配置された太陽電池モジュール７の軒先側端部は、第一レール部材８ａと第二レール部材８ｂとの間に架け渡された支持フレーム５０によって支持され、太陽電池モジュール７と第二レール部材８ｂとの間には、両者を連結する連結部４０が取り付けられ、連結部４０は、第二レール部材８ｂに固定されているとともに第二レール部材８ｂから第一レール部材８ａ側に突出し、かつ支持フレーム５０よりも軒先側に位置し、当該連結部４０のうち、第二レール部材８ｂからレール部材８ａ側に突出し、かつ支持フレーム５０よりも軒先側に位置している部分が支持フレーム５０のうち傾斜方向の軒先側端面に固定されている。【選択図】図７
2019210805.tif 000002
【特許請求の範囲】
【請求項１】
傾斜屋根面に太陽電池モジュールを設置してなる太陽電池モジュールの設置構造において、
前記傾斜屋根面には、傾斜方向に沿って配置された第一レール部材と、前記第一レール部材に対して棟方向に間隔を空けるとともに傾斜方向に沿って配置され、かつ前記第一レール部材よりも下方に延びる第二レール部材と、が設置され、
前記第一レール部材と前記第二レール部材との間には、これら第一レール部材と第二レール部材との間に跨って前記太陽電池モジュールが配置されており、
前記第一レール部材と前記第二レール部材との間に跨る前記太陽電池モジュールの軒先側端部は、前記第一レール部材と前記第二レール部材との間に架け渡された支持フレームによって支持されており、
前記太陽電池モジュールと、前記第二レール部材との間には、両者を連結する連結部が取り付けられ、
前記連結部は、前記第二レール部材に固定されているとともに前記第二レール部材から前記第一レール部材側に突出し、かつ前記支持フレームよりも軒先側に位置し、当該連結部のうち、前記第二レール部材から前記第一レール部材側に突出し、かつ前記支持フレームよりも軒先側に位置している部分が前記支持フレームのうち傾斜方向の軒先側端面に固定されていることを特徴とする太陽電池モジュールの設置構造。
【請求項２】
請求項１に記載の太陽電池モジュールの設置構造において、
前記連結部には、前記第二レール部材に固定される台座部と、前記台座部に対して段差状に形成された本体部と、前記本体部の棟側端部から立設し、前記支持フレームに固定されるフレーム用固定部とが設けられていることを特徴とする太陽電池モジュールの設置構造。
【請求項３】
請求項２に記載の太陽電池モジュールの設置構造において、
前記本体部は上面視略Ｌ字状に形成されており、その長辺部の周囲には、前記台座部との段差を維持した状態で前記本体部を支持する支持部が形成されていることを特徴とする太陽電池モジュールの設置構造。
【請求項４】
請求項１〜３のいずれか一項に記載の太陽電池モジュールの設置構造において、
前記傾斜屋根面は、第一屋根面と、この第一屋根面よりも下方に延びる第二屋根面とを備えることによって軒先側端部が入隅部を有する形状とされており、
前記第一屋根面には、前記第一レール部材が設置され、
前記第二屋根面には、前記第二レール部材が設置され、
前記第二屋根面の前記入隅部側の側面には破風が取り付けられており、
前記第一屋根面には、当該第一屋根面上を流れる水を、軒先側端部に設けられた樋まで案内する水切部が取り付けられていることを特徴とする太陽電池モジュールの設置構造。
【請求項５】
請求項４に記載の太陽電池モジュールの設置構造において、
前記連結部の下面側に前記水切部が設けられ、前記連結部の上面に対し、前記連結部から軒先側に向けて延出するストッパーが取り付けられており、
前記連結部及び前記ストッパーの上面側に、当該連結部及びストッパーを覆うカバー部が設けられており、
前記カバー部の軒先側端部は、前記ストッパーの延出方向先端部に係合していることを特徴とする太陽電池モジュールの設置構造。
【発明の詳細な説明】
【技術分野】
【０００１】
本発明は、傾斜屋根面に設置される太陽電池モジュールの設置構造に関する。
【背景技術】
【０００２】
従来、レール部材と固定部材とを用いて建物の屋根に太陽電池モジュールを取り付けるための取付治具が知られている（例えば、特許文献１等を参照）。
太陽電池モジュールは、屋根面に設置された複数のレール部材間に跨って配置され、固定部材によってレール部材上に固定される。
また、特に傾斜屋根に用いる場合は、レール部材の長さ方向下端部に設けられた固定部材によって、レール部材の長さ方向に沿って並ぶ複数の太陽電池モジュールを支持する。
【先行技術文献】
【特許文献】
【０００３】
【特許文献１】特開２００１−２７１４６８号公報
【発明の概要】
【発明が解決しようとする課題】
【０００４】
ところで、第一屋根面と、当該第一屋根面よりも下方に延びた第二屋根面とが隣接して備えられ、その軒先側端部が入隅構造となっている略Ｌ型の傾斜屋根面に太陽電池モジュールを取り付けることが想定される。この場合、第一屋根面には長さの短いレール部材が設置され、第二屋根面には長さの長いレール部材が設置される。
このような略Ｌ型の傾斜屋根面に太陽電池モジュールを設置する方法としては、第一屋根面と第二屋根面のそれぞれに複数の前記レール部材を設置して、各屋根面において複数のレール部材間に太陽電池モジュールを跨らせて配置することが考えられる。
【０００５】
ところが、このような場合、第一屋根面と第二屋根面との間に太陽電池モジュールが設置されない無駄なスペースが生じてしまうため、太陽電池モジュールの搭載量を向上させにくい。そこで、第一屋根面と第二屋根面との間にも太陽電池モジュールを設置することが考えられる。しかし、第一屋根面と第二屋根面とでは長さの異なるレール部材が用いられているため、長さの長い第二屋根面側のレール部材の途中の位置で、太陽電池モジュールを固定しなければならず、レール部材の長さ方向下端部に設けられるような従来の固定部材では、長さの長いレール部材の途中位置で太陽電池モジュールを固定することが困難であった。
【０００６】
本発明の課題は、第一レール部材と、第一レール部材よりも長さの長い第二レール部材との間に跨る太陽電池モジュールを確実に支持することが可能な太陽電池モジュールの設置構造を提供することを目的とする。
【課題を解決するための手段】
【０００７】
請求項１に記載の発明は、例えば図１〜図１４に示すように、傾斜屋根面３に複数の太陽電池モジュール７を設置してなる太陽電池モジュール７の設置構造において、
前記傾斜屋根面３には、傾斜方向に沿って配置された第一レール部材８ａと、前記第一レール部材８ａに対して棟方向に間隔を空けるとともに傾斜方向に沿って配置され、かつ前記第一レール部材８ａよりも下方に延びる第二レール部材８ｂと、が設置され、
前記第一レール部材８ａと前記第二レール部材８ｂとの間には、これら第一レール部材８ａと第二レール部材８ｂとの間に跨って前記太陽電池モジュール７が配置されており、
前記第一レール部材８ａと前記第二レール部材８ｂとの間に跨る前記太陽電池モジュール７の軒先側端部は、前記第一レール部材８ａと前記第二レール部材８ｂとの間に架け渡された支持フレーム５０によって支持されており、
前記太陽電池モジュール７と、前記第二レール部材８ｂとの間には、両者を連結する連結部４０が取り付けられ、
前記連結部４０は、前記第二レール部材８ｂに固定されているとともに前記第二レール部材８ｂから前記第一レール部材８ａ側に突出し、かつ前記支持フレーム５０よりも軒先側に位置し、当該連結部４０のうち、前記第二レール部材８ｂから前記レール部材８ａ側に突出し、かつ前記支持フレーム５０よりも軒先側に位置している部分（フレーム用固定部４３）が前記支持フレーム５０のうち傾斜方向の軒先側端面に固定されていることを特徴とする。
【０００８】
請求項１に記載の発明によれば、第一レール部材８ａと第二レール部材８ｂとの間に跨る太陽電池モジュール７と、第二レール部材８ｂとの間には、両者を連結する連結部４０が取り付けられているので、この連結部４０によって、第二レール部材８ｂの長さ方向の途中位置で太陽電池モジュール７を確実に固定できる。
また、太陽電池モジュール７は、支持フレーム５０と連結部４０の双方によって傾斜方向下方へのずれを防いだ状態となる。
これによって、第一レール部材８ａと第二レール部材８ｂとの間に跨る太陽電池モジュール７を確実に支持することができる。
【０００９】
請求項２に記載の発明は、例えば図１〜図１３に示すように、請求項１に記載の太陽電池モジュール７の設置構造において、
前記連結部４０には、前記第二レール部材８ｂに固定される台座部４１と、前記台座部４１に対して段差状に形成された本体部４２と、前記本体部４２の棟側端部から立設し、前記支持フレーム５０に固定されるフレーム用固定部４３とが設けられていることを特徴とする。
【００１０】
請求項３に記載の発明は、例えば図３，図７，図８に示すように、請求項２に記載の太陽電池モジュール７の設置構造において、
前記本体部４２は上面視略Ｌ字状に形成されており、その長辺部の周囲には、前記台座部４１との段差を維持した状態で前記本体部４２を支持する支持部４２１が形成されていることを特徴とする。
【００１１】
請求項４に記載の発明は、例えば図２〜図９，図１２に示すように、請求項１〜３のいずれか一項に記載の太陽電池モジュール７の設置構造において、
前記傾斜屋根面３は、第一屋根面４と、この第一屋根面４よりも下方に延びる第二屋根面５とを備えることによって軒先側端部が入隅部６を有する形状とされており、
前記第一屋根面４には、前記第一レール部材８ａが設置され、
前記第二屋根面５には、前記第二レール部材８ｂが設置され、
前記第二屋根面５の前記入隅部６側の側面には破風９が取り付けられており、
前記第一屋根面４には、当該第一屋根面４上を流れる水を、軒先側端部に設けられた樋１０まで案内する水切部１１が取り付けられていることを特徴とする。
【００１２】
請求項４に記載の発明によれば、第一屋根面４には、当該第一屋根面４上を流れる水を、軒先側端部に設けられた樋１０まで案内する水切部１１が取り付けられているので、第一屋根面４上を流れる水が、第二屋根面５の入隅部６側に取り付けられた破風９に向かって流れることを防ぐことができる。
これによって、第一屋根面４上を流れる水が、第二屋根面５における破風９の内側に浸入することを防ぐことができるので、雨仕舞いを向上できる。
【００１３】
請求項５に記載の発明は、例えば図２〜図１０，図１２に示すように、請求項４に記載の太陽電池モジュール７の設置構造において、
前記連結部４０の下面側に前記水切部１１が設けられ、前記連結部４０の上面に対し、前記連結部４０から軒先側に向けて延出するストッパー７０が取り付けられており、
前記連結部４０及び前記ストッパー７０の上面側に、当該連結部４０及びストッパー７０を覆うカバー部６０が設けられており、
前記カバー部６０の軒先側端部６２１は、前記ストッパー７０の延出方向先端部７１に係合していることを特徴とする。
【００１４】
請求項５に記載の発明によれば、連結部４０の下面側に水切部１１が設けられ、連結部４０及びストッパー７０の上面側に、当該連結部４０及びストッパー７０を覆うカバー部６０が設けられているので、カバー部６０によって連結部４０及びストッパー７０に極力水がかからないようにでき、連結部４０及びストッパー７０にかかった水は水切部１１によって樋１０まで案内することができる。
これによって、第一レール部材８ａと第二レール部材８ｂとの間に跨る太陽電池モジュール７上を流れる水が、連結部４０及びストッパー７０の周囲から第一屋根面４や第二屋根面５の内側に浸入したり、第二屋根面５における破風９の内側に浸入したりすることを防ぐことができるので、より一層、雨仕舞いを向上できる。
【発明の効果】
【００１５】
本発明によれば、第一レール部材と、第一レール部材よりも長さの長い第二レール部材との間に跨る太陽電池モジュールを確実に支持することが可能となる。
【図面の簡単な説明】
【００１６】
【図１】太陽電池モジュールの設置構造を示す斜視図である。
【図２】図１における楕円Ｄ部分を示す説明図であり、（ａ）は上面図、（ｂ）は（ａ）におけるｂ−ｂ切断面から見た断面図、（ｃ）は（ａ）におけるｃ−ｃ切断面から見た断面図である。
【図３】図１における楕円Ｄ部分の断面図である。
【図４】水切部の概略構成を示す説明図であり、（ａ）は上面図、（ｂ）は（ａ）の切断面から見た断面図、（ｃ）は側面図である。
【図５】水切部を野地板上に取り付けた状態を示す上面図である。
【図６】水切部の板状部に対して面戸が重ねられた状態を示す上面図である。
【図７】支持フレームおよび連結部が取り付けられた状態を示す上面図である。
【図８】連結部の概略構成を示す説明図であり、（ａ）は上面図、（ｂ）は側面図、（ｃ）は正面図である。
【図９】ストッパーが取り付けられた状態を示す上面図である。
【図１０】カバー部の概略構成を示す説明図であり、（ａ）は上面図、（ｂ）は側面図、（ｃ）は正面図である。
【図１１】太陽電池モジュールの取り付けレイアウトの変形例を示す模式図である。
【図１２】図１１に示す楕円Ｄ１部分の屋根構造の概略構成を示す上面図である。
【図１３】第二の補助水切部の概略構成を示す説明図であり、（ａ）は上面図、（ｂ）は軒先側端部を示す正面図、（ｃ）は棟側端部を示す背面図である。
【図１４】太陽電池モジュールの設置構造の他の例を示す図である。
【発明を実施するための形態】
【００１７】
以下、図面を参照して本発明の実施の形態について説明する。
図１は、本実施形態に係る屋根構造を有する建物の概略構成を示す斜視図である。
図１に示すように建物１の屋根２（切妻式）を構成する傾斜屋根面のうち、例えば南側を向く一方の傾斜屋根面３は、第一屋根面４と、第一屋根面４よりも下方に延びる第二屋根面５とを備えることによって、軒先側端部が入隅部６を有する形状となっている。すなわち、傾斜屋根面３は、略Ｌ型に形成されている。
そして、第一屋根面４および第二屋根面５には、それぞれ複数の太陽電池モジュール７が屋根流れ方向に沿うように配列されている。また、これら複数の太陽電池モジュール７は、傾斜屋根面３の屋根流れ方向に沿って延在する複数のレール部材８ａ，８ｂによって傾斜屋根面３上に設置されている。
【００１８】
複数のレール部材８ａ，８ｂには、第一屋根面４に設置される第一レール部材８ａと、第二屋根面５に設置される第二レール部材８ｂとが含まれている。
第一屋根面４には、棟方向に間隔を空けるとともに傾斜方向に沿って複数の第一レール部材８ａが設置されている。また、複数の第一レール部材８ａ間には、当該複数の第一レール部材８ａ間に跨って、かつ傾斜方向に並んで複数の太陽電池モジュール７が配置されている。
第二屋根面５には、棟方向に間隔を空けるとともに傾斜方向に沿って、かつ第一レール部材８ａよりも下方に延びる複数の第二レール部材８ｂが設置され、複数の第二レール部材８ｂ間には、当該複数の第二レール部材８ｂ間に跨って、かつ傾斜方向に並んで複数の太陽電池モジュール７が配置されている。
そして、第一屋根面４と第二屋根面５との境界付近において第一レール部材８ａと第二レール部材８ｂとの間には、これら第一レール部材８ａと第二レール部材８ｂとの間に跨って、かつ第一レール部材８ａの長さ方向に並んで複数の太陽電池モジュール７が配置されている。なお、これら第一レール部材８ａと第二レール部材８ｂとに跨る複数の太陽電池モジュール７のうち、軒先側の最下方に位置する太陽電池モジュールの符号は、説明の便宜上７ａとする。
図示はしないが、傾斜屋根面３の傾斜方向に並ぶ太陽電池モジュール７間には、棟方向に沿うレール部材が設けられているものとする。
【００１９】
また、図示はしないが、第一レール部材８ａおよび第二レール部材８ｂの傾斜方向下端部には、これら第一レール部材８ａおよび第二レール部材８ｂの長さ方向に沿って並ぶ複数の太陽電池モジュール７（７ａ）を支持する固定部材が設けられている。
なお、固定部材の形状については特に限定されるものではない。すなわち、固定部材の構成および各レール部材８ａ，８ｂへの固定の形態が、複数の太陽電池モジュール７（７ａ）が傾斜屋根面３の傾斜方向の下方にずれることを防ぐものであればよい。
【００２０】
図２は、図１における楕円Ｄ部分の屋根構造１００を示す説明図であり、（ａ）は上面図、（ｂ）は（ａ）のｂ−ｂ切断面から見た断面図、（ｃ）は（ａ）のｃ−ｃ切断面から見た断面図である。図３は、図１における楕円Ｄ部分の断面図である。
図２および図３に示すように、第一屋根面４と第二屋根面５との境界近傍には、前述の複数のレール部材８ａ，８ｂのうち、一つの第二レール部材８ｂが配置されている。すなわち、複数の第二レール部材８ｂのうち、第一レール部材８ａと隣り合う第二レール部材８ｂは、第二屋根面５上のうち第一屋根面４との境界に寄せて配置されている。
また、複数のレール部材８ａ，８ｂは、屋根パネル７３の野地板７２の上面に、防水シートを介して取り付けられている。防水シートは野地板７２の全面に対して貼り付けられている。
複数のレール部材８ａ，８ｂには、第一屋根面４に取り付けられる太陽電池モジュール７を支持するための支持材８１と、第二屋根面５に取り付けられる太陽電池モジュール７を支持するための支持材８２とが設けられている。これによって、第一屋根面４との境界に寄せて配置された第二レール部材８ｂが、第一レール部材８ａと第二レール部材８ｂとの間に跨る太陽電池モジュール７と、棟方向に隣り合う太陽電池モジュール７とを支持するようになっている。
なお、支持部８１，８２は、太陽電池モジュール７の縁を把持する構成とされている。
【００２１】
また、第二屋根面５の入隅部６側の側面には破風９が取り付けられている。破風９の棟側の端部は、第一屋根面４の軒先側端部に対向している。
第一屋根面４の軒先には樋１０が設けられている。樋１０の破風９側の端部は、破風９に近接する位置に設けられている。つまり、第一屋根面４の軒先側端部の全体に対しては、樋１０は取り付けられていない。
【００２２】
また、第一屋根面４における入隅部６の近傍には、当該第一屋根面４上を流れる水を樋１０まで案内する金属製の水切部１１が設けられている。
図４は、水切部１１の概略構成を示す説明図であり、（ａ）は上面図、（ｂ）は（ａ）の切断面から見た断面図、（ｃ）は側面図である。図５は、水切部１１を野地板７２上に取り付けた状態を示す上面図である。
図４および図５に示すように、水切部１１は、板状部１１０と、水切先端部１２０と、係合部１３０と、防水壁１４０とを備えている。
【００２３】
板状部１１０は、入隅部６に近接した位置で第一屋根面４上に重ねられている。
板状部１１０の軒先側端部には水切先端部１２０が設けられている。水切先端部１２０は、板状部１１０上を流れた水を樋１０まで案内するため、板状部１１０に対して傾くように板状部１１０の軒先側端部から樋１０に向けて延在している。
また、板状部１１０の棟側の周縁１１１および第二屋根面５とは反対側の周縁１１２は、上面に重なるように内側に向かって折り曲げられている。
【００２４】
板状部１１０の第二屋根面５側には、係合部１３０が設けられており、この係合部１３０と水切先端部１２０との間には、板状部１１０上を流れる水を水切先端部１２０まで案内するための案内壁１１３が立設している。この案内壁１１３は、軒先側に向けて徐々に水切先端部１２０に近づくように傾いている。
【００２５】
係合部１３０は、前記一つの第二レール部材８ｂに係合し、当該第二レール部材８ｂとの隙間を覆うようになっている。
防水壁１４０は、破風９の棟側の端部を覆うものであり、係合部１３０と案内壁１１３との間に設けられている。これにより、防水壁１４０の端部は、破風９の棟側の端部を覆いながら水切先端部１２０まで延在することになる。
また、係合部１３０における破風９の側面に対向する部分には、当該破風９の側面を覆う立設部１３１が設けられている。
また、係合部１３０の棟側端部には、切欠１３２が形成されている。この切欠１３２によって前記一つの第二レール部材８ｂの全幅が露出することになる。
また、係合部１３０の棟側には、例えばスポンジ等の水密材１３３が設けられている。
【００２６】
図６は、水切部１１の板状部１１０に対して屋根材２０が重ねられ、さらに屋根材２０に対して金属製の面戸３０が重ねられた状態を示す上面図である。
屋根材２０は屋根２の仕上げ材であり、屋根２のうち、複数の太陽電池モジュール７が設けられた位置を除く箇所に葺設されている。
面戸３０は、傾斜屋根面３に設けられた複数の太陽電池モジュール７のうち、最下方に位置する太陽電池モジュール７ａと屋根材２０との間に設けられて、屋根材２０の棟側端部から水の浸入を防ぐものである。したがって、この面戸３０は防水性を有する。
屋根材２０および面戸３０は、水切部１１の板状部１１０に重なって第一屋根面４の軒先側端部を覆うように取り付けられている。
【００２７】
以上のような水切部１１によれば、防水壁１４０が破風９の棟側の端部を覆うように水切先端部１２０まで設けられているので、水切部１１を流れる水を防水壁１４０が遮って、当該水が破風９内に侵入しようとすることを抑制することができる。また防水壁１４０によって遮られた水は、そのまま防水壁１４０に案内されて水切先端部１２０から樋１０に流れ込む。つまり、樋１０が、第一屋根面４の軒先側端部の全体に対して設けられていなくとも、水切部１１上を流れる水を樋１０まで案内することができる。これによって、太陽電池モジュール７が取り付けられる屋根２が入隅構造を有していても、屋根２に対する防水性を確保することができる。
また、水切部１１の板状部１１０上に防水性の面戸３０が重ねられているので、面戸３０によって屋根２全体の防水性を高めることができる。
また、板状部１１０の周縁の少なくとも一部（周縁１１１，１１２）が上面に重なるように内側に向かって折り曲げられているので、板状部１１０の上面を流れる水が風によって逆流したとしても、板状部１１０の周縁１１１，１１２からこぼれることを抑制することができる。
【００２８】
図７は、金属製の連結部４０および支持フレーム５０が取り付けられた状態を示す上面図である。
図７に示すように、太陽電池モジュール７の軒先側端部を支持する支持フレーム５０が複数のレール部材８ａ，８ｂ間に架け渡されている。すなわち、第一レール部材８ａと第二レール部材８ｂとの間に跨る複数の太陽電池モジュール７のうち傾斜方向の最下方に位置する太陽電池モジュール７ａの軒先側端部は、第一レール部材８ａと第二レール部材８ｂとの間に架け渡された支持フレーム５０によって支持されている。
また、水切部１１の切欠１３２によって全幅が露出した第二レール部材８ｂ上に連結部４０が取り付けられており、この連結部４０は支持フレーム５０に固定されている。すなわち、第一レール部材８ａと第二レール部材８ｂとの間に跨る複数の太陽電池モジュール７のうち傾斜方向の最下方に位置する太陽電池モジュール７ａと、第二レール部材８ｂとの間に、両者を連結する連結部４０が取り付けられている。
当該連結部４０は、複数の第一レール部材８ａのうち、最も第二屋根面５に近い位置に設けられた第一レール部材８ａの長さ方向・傾斜方向下端部に設けられた固定部材と共に、第一レール部材８ａと第二レール部材８ｂとの間に跨る複数の太陽電池モジュール７を支持している状態となっている。
なお、第二レール部材８ｂにおける連結部４０よりも軒先側部分においては、金属製のカバープレート９０によって覆われている。
【００２９】
図８は連結部４０の概略構成を示す説明図であり、（ａ）は上面図、（ｂ）は側面図、（ｃ）は正面図である。
図８に示すように、連結部４０には、第二レール部材８ｂに固定される台座部４１と、台座部４１に対して段差状に形成された本体部４２と、本体部４２の棟側端部から立設し、支持フレーム５０に固定されるフレーム用固定部４３とが設けられている。すなわち、連結部４０は、支持フレーム５０を介して前記最下方に位置する太陽電池モジュール７ａに固定されている。
台座部４１には、当該台座部４１を第二レール部材８ｂにネジ止めするための貫通孔４１１が複数設けられている。
本体部４２は上面視略Ｌ字状に形成されており、その長辺部の周囲には、台座部４１との段差を維持した状態で本体部４２を支持する支持部４２１が形成されている。
フレーム用固定部４３には、当該フレーム用固定部４３を支持フレーム５０にネジ止めするための貫通孔４３１が複数設けられている。
貫通孔４１１，４３１を介してネジ止めがされることにより、連結部４０が第二レール部材８ｂおよび支持フレーム５０を連結することになる。
【００３０】
図９は、ストッパー７０が取り付けられた状態を示す上面図である。
図９に示すように、連結部４０の上面に対して金属製のストッパー７０が取り付けられている。ストッパー７０は、連結部４０の本体部４２から軒先側に向けて延在しており、その先端部７１が折り曲げられている（図３参照）。
【００３１】
そして、図２および図３に示すように、支持フレーム５０には、連結部４０およびストッパー７０を覆う金属製のカバー部６０が取り付けられている。
図１０はカバー部６０の概略構成を示す説明図であり、（ａ）は上面図、（ｂ）は側面図、（ｃ）は正面図である。
図１０に示すように、カバー部６０には、レール用カバー部６１と、連結用カバー部６２とが設けられている。
レール用カバー部６１は、第二レール部材８ｂを覆うものであり、その側部が第二レール部材８ｂに係合するようにフック形状となっている。
連結用カバー部６２は、連結部４０およびストッパー７０を覆うものであり、その大部分が板状に形成されている。換言すれば、連結部４０の下面側に水切部１１が設けられ、連結部４０の上面側に、当該連結部４０を覆うカバー部６０が設けられた状態となっている。
また、連結用カバー部６２の軒先側端部のレール側部分６２１は、ストッパー７０の先端部７１に係合するように折り曲げられている。他方、連結用カバー部６２の軒先側端部の残りの部分６２２は、段差形状となっており、連結用カバー部６２と面戸３０との間隔を維持するようになっている。
また、連結用カバー部６２の棟側端部６３は、支持フレーム５０に固定されるように立設されている。
以上のような連結部４０・ストッパー７０・カバー部６０に係る構成によれば、連結部４０に取り付けられたストッパー７０の先端部７１がカバー部６０のレール側部分６２１に係合しているので、軒先側からカバー部６０の下方に風が吹き込んだとしても、カバー部６０が煽られることが抑制される。したがって、カバー部６０が離脱することを防ぐことができる。
【００３２】
なお、カバー部６０の下側には、ストッパー７０と隣り合うようにして面戸３５が設けられる。面戸３５は、棟側端部が支持フレーム５０に固定され、軒先側端部がカバー部６０における連結用カバー部６２のレール側部分６２１に引っかかるようにして設けられている。
【００３３】
本実施形態によれば、第一レール部材８ａと第二レール部材８ｂとの間に跨る複数の太陽電池モジュール７のうち傾斜方向の最下方に位置する太陽電池モジュール７ａと、第二レール部材８ｂとの間には、両者を連結する連結部４０が取り付けられているので、この連結部４０によって、第二レール部材８ｂの長さ方向の途中位置で最下方に位置する太陽電池モジュール７ａを確実に固定できる。
これによって、従来とは異なり、略Ｌ型の傾斜屋根面３であっても太陽電池モジュール７をより多く設置することができるので、太陽電池モジュールの搭載量を向上させることが可能となる。また、このように太陽電池モジュールの搭載量が向上すれば、発電量も向上することになり、効率が良い。
また、このようにより多くの太陽電池モジュール７を設置でき、第一屋根面４の第一レール部材８ａと、第二屋根面５の第二レール部材８ｂとの間にも、太陽電池モジュール７を詰めて設置することができるので、見栄えも良い。
【００３４】
また、複数の第二レール部材８ｂのうち、第一レール部材８ａと隣り合う第二レール部材８ｂは、第二屋根面５上のうち第一屋根面４との境界に寄せて配置されているので、第二屋根面５のうち第一屋根面４側に近い位置まで太陽電池モジュール７を詰めて配置できる。
これによって、傾斜屋根面３上において太陽電池モジュール７が配置できない無駄なスペースが生じることを防ぐことが可能となり、太陽電池モジュール７をより多く設置することが可能となる。
【００３５】
また、連結部４０は、支持フレーム５０を介して最下方に位置する太陽電池モジュール７ａに固定されているので、当該最下方に位置する太陽電池モジュール７ａは、支持フレーム５０と連結部４０の双方によって傾斜方向下方へのずれを防いだ状態となる。
これによって、当該最下方に位置する太陽電池モジュール７ａを含む、第一レール部材８ａと第二レール部材８ｂとの間に跨る複数の太陽電池モジュール７を確実に支持することができる。
【００３６】
また、第一屋根面４には、当該第一屋根面４上を流れる水を、軒先側端部に設けられた樋１０まで案内する水切部１１が取り付けられているので、第一屋根面４上を流れる水が、第二屋根面５の入隅部６側に取り付けられた破風９に向かって流れることを防ぐことができる。
これによって、第一屋根面４上を流れる水が、第二屋根面５における破風９の内側に浸入することを防ぐことができるので、雨仕舞いを向上できる。
【００３７】
また、連結部４０の下面側に水切部１１が設けられ、連結部４０の上面側に、当該連結部４０を覆うカバー部６０が設けられているので、カバー部６０によって連結部４０に極力水がかからないようにでき、連結部４０にかかった水は水切部１１によって樋１０まで案内することができる。
これによって、第一レール部材８ａと第二レール部材８ｂとの間に跨る複数の太陽電池モジュール７上を流れる水が、連結部４０の周囲から第一屋根面４や第二屋根面５の内側に浸入したり、第二屋根面５における破風９の内側に浸入したりすることを防ぐことができるので、より一層、雨仕舞いを向上できる。
【００３８】
（変形例）
なお、本発明は上記実施形態に限らず適宜変更可能である。
例えば、図１１に示すように、第一屋根面４の軒先側端部に対して間隔を空けて太陽電池モジュール７が取り付けられる場合も想定される。
この場合の屋根構造１００Ａについて説明する。
図１２は、図１１に示す楕円Ｄ１部分の屋根構造１００Ａの概略構成を示す上面図である。なお、以下の説明において、上記実施形態と同一の部分においては同一の符号を付してその説明を省略する。
図１２に示すように、第一屋根面４に設置される支持フレーム５０は、上記実施形態よりも軒先側端部から間隔を空けて配置されている。このため、水切部１１の全体が支持フレーム５０よりも下方に位置してしまう。このため、第一の補助水切部８５および第二の補助水切り９５を水切部１１に重ねて配置することで、太陽電池モジュール７の下方を流れる水を、第一の補助水切部８５および第二の補助水切部９５を介して、水切部１１まで案内するようになっている。
【００３９】
第一の補助水切部８５は、水切部１１の係合部１３０および水密材１３３に係合する係合部８５１と、係合部８５１に隣接して設けられ、水切部１１の板状部１１０に重なって当該板状部１１０まで水を案内する水案内部８５２とを備えている。
【００４０】
図１３は、第二の補助水切部９５の概略構成を示す説明図であり、（ａ）は上面図、（ｂ）は軒先側端部を示す正面図、（ｃ）は棟側端部を示す背面図である。
第二の補助水切部９５は、第一の補助水切部８５の係合部８５１に係合する係合部９５１と、係合部９５１に隣接して設けられ、第一の補助水切部８５の水案内部８５２に重なって当該水案内部８５２まで水を案内する水案内部９５２とを備えている。水案内部９５２は、太陽電池モジュール７の下方まで延在している。係合部９５１の棟側には水密材９５３が設けられている。
そして、第二の補助水切部９５の係合部９５１付近に、連結部４０、ストッパー７０およびカバー部６０が取り付けられる。
これによって、太陽電池モジュール７の下方を流れる水は、第一の補助水切部８５および第二の補助水切部９５を通過して、水切部１１まで至り、水切部１１の水切先端部１２０から樋１０に流れ込むことになる。
【００４１】
また、他の変形例として、図１４に示すように、第二レール部材８ｂを入隅部６（破風９）から離間させて配置してもよい。
このように第二レール部材８ｂを入隅部６から離間させて配置した場合であっても、太陽電池モジュールをより多く設置することができ、太陽電池モジュールの搭載量を向上させることができる。
すなわち、第一屋根面４と第二屋根面５との境界付近において第一レール部材８ａと、入隅部６から離間する第二レール部材８ｂとの間には、これらレール部材８ａ，８ｂ間に跨って、かつ第一レール部材８ａの長さ方向に並んで複数の太陽電池モジュール７が配置されている。そして、第一レール部材８ａと、入隅部６から離間する第二レール部材８ｂとの間に跨る複数の太陽電池モジュール７のうち傾斜方向の最下方に位置する太陽電池モジュール７と、入隅部６から離間する第二レール部材８ｂとの間に、両者を連結する連結部４０が取り付けられている。
なお、図示例では、第二屋根面５に最も近い第一レール部材８ａが、第一屋根面４と第二屋根面５との境界部分に位置し、第一屋根面４に最も近い第二レール部材８ｂ（入隅部６から離間する第二レール部材８ｂ）との間に、複数の太陽電池モジュール７が設けられた状態となっている。このように各レール部材８ａ，８ｂ間に設けられた複数の太陽電池モジュール７が、第一屋根面４と第二屋根面５との境界を跨いでいない状態であっても、「境界付近」に含まれるものとする。すなわち、各レール部材８ａ，８ｂ間に跨って設けられる複数の太陽電池モジュール７は、あくまで各レール部材８ａ，８ｂ間に跨って設けられていればよく、必ずしも第一屋根面４と第二屋根面５との境界を跨いで配置される必要はないものとする。
【符号の説明】
【００４２】
１  建物
２  屋根
３  傾斜屋根面
４  第一屋根面
５  第二屋根面
６  入隅部
７  太陽電池モジュール
８ａ  第一レール部材
８ｂ  第二レール部材
９  破風
１０  樋
１１  水切部
２０  屋根材
３０  面戸
３５  面戸
４０  連結部
５０  支持フレーム
６０  カバー部
７０  ストッパー
７１  先端部
９０  カバープレート
１００  屋根構造
１１０  板状部
１１１  周縁
１１２  周縁
１１３  案内壁
１２０  水切先端部
１３０  係合部
１４０  防水壁
【図１】
2019210805.tif 000003
【図２】
2019210805.tif 000004
【図３】
2019210805.tif 000005
【図４】
2019210805.tif 000006
【図５】
2019210805.tif 000007
【図６】
2019210805.tif 000008
【図７】
2019210805.tif 000009
【図８】
2019210805.tif 000010
【図９】
2019210805.tif 000011
【図１０】
2019210805.tif 000012
【図１１】
2019210805.tif 000013
【図１２】
2019210805.tif 000014
【図１３】
2019210805.tif 000015
【図１４】
2019210805.tif 000016